(57)【要約】【課題】  本発明は、キートップを押圧操作した時に発生する騒音を軽減可能なキースイッチを提供すること。【解決手段】  本発明のキースイッチ１は、押圧操作可能な操作部２ａの外周から下方に延設されたスカート部２ｂを有するキートップ２と、このキートップ２を昇降可能に支持する第１、第２リンク部材３、４と、この第１、第２リンク部材３、４を支持するベースプレート５とを備え、ベースプレート５上には、キートップ２を押圧操作して降下したスカート部２ｂの下端部２ｃが衝突するときに発生する衝突音を軽減可能な消音手段である緩衝部材７を配設した。【選択図】        図１
2006190552.tif 000002
【特許請求の範囲】
【請求項１】
押圧操作可能な操作部の外周から下方に延設されたスカート部を有するキートップと、このキートップを昇降可能に支持するリンク部材と、このリンク部材を支持するベースプレートとを備え、前記ベースプレート上には、前記キートップを押圧操作して降下した前記スカート部の下端部が衝突するときに発生する衝突音を軽減可能な消音手段を配設したことを特徴とするキースイッチ。
【請求項２】
前記ベースプレート上には、フィルムシートを配設し、前記消音手段は、前記キートップの前記スカート部の下端部が対向する部分の前記フィルムシート、または前記キートップの前記裏面に配設した緩衝部材からなることを特徴とする請求項１記載のキースイッチ。
【請求項３】
前記緩衝部材は、材質がゴムからなることを特徴とする請求項２記載のキースイッチ。
【請求項４】
前記ベースプレート上には、フィルムシートを配設し、前記フィルムシート上には、絶縁シートを積層し、前記絶縁シートは、弾性を有する材質で形成して前記消音手段としたことを特徴とする請求項１記載のキースイッチ。
【請求項５】
前記絶縁シートは、材質がゴムからなることを特徴とする請求項４記載のキースイッチ。
【請求項６】
前記ベースプレート上には、フィルムシートが配設され、前記スカート部の下端部が対向する部分の前記フィルムシートを舌片状に切り曲げして舌片部を形成し、この舌片部の自由端側を折り返して形成したクッション部を前記消音手段としたことを特徴とする請求項１記載のキースイッチ。
【発明の詳細な説明】
【技術分野】
【０００１】
本発明はキーボード装置およびこの組立方法に係わり、特に、種類の異なるキートップの組違いを防止することができるキーボード装置およびこの組立方法に関する。
【背景技術】
【０００２】
従来のキースイッチは、図７に示すように、最上部にキートップ２１が配設され、このキートップ２１は、上部に操作部２１ａが形成され、この操作部２１ａの周囲から下方に延設してにスカート部２１ｂが形成されている。前記スカート部２１ｂには、平坦状の下端部２１ｃが形成されている。
また、キートップ２１は、スカート部２１ｂの内周側にリンク部材収納部２１ｄが形成されている。
そして、リンク部材収納部２１ｄが形成された操作部２１ａの略中央部からは、突起部２１ｅが図示下方に突出形成されている。
【０００３】
また、キートップ２１の操作部２１ａ裏面にはアークチュエータ２２が支持され、このアークチュエータ２２は、平坦状の取付面２２ａと、この取付面２２ａの略中央部に抜け止め部２２ｂとが形成され、この抜け止め部２２ｂがキートップ２１の突起部２１ｅに圧入されている。
また、アークチュエータ２２は、図示右端部側と左端部側とに略Ｕ字状の回動支持部２２ｃとスライド支持部２２ｄとが形成されている。
【０００４】
また、アークチュエータ２２の回動支持部２２ｃ、及びスライド支持部２２ｄには、一対の第１、第２リンク部材２３、２４の一端部側が係合可能になっている。前記第１、第２リンク部材２３、２４は、アーム部２３ａ、２４ａが交差状に組み合わせて連結支持部２３ｂ（２４ｂ）で連結されている。
そして、第１リンク部材２３は、図示上方側にスライド軸２３ｃが形成され、このスライド軸２３ｃが、スライド支持部２２ｄにスライド自在に支持されている。また、第１リンク部材２３は、図示下方側に回動軸２３ｄが形成されている。
【０００５】
また、第２リンク部材２４は、図示上方側に回動軸２４ｃが形成され、この回動軸２４ｃが、回動支持部２２ｃに回動自在に支持されている。
また、第２リンク部材２４は、図示下方側にスライド軸２４ｄが形成されている。また、従来のキースイッチの最下部には、ベースプレート２５が配設され、このベースプレート２５には、第１リンク部材２３の回動軸２３ｄを回動自在に支持可能な回動支持部２５ａと、第２リンク部材２４のスライド軸２４ｄをスライド自在に支持可能なスライド支持部２５ｂとが形成されている。
【０００６】
また、ベースプレート２５上には、後述するラバースプリング２８によって入力操作可能なスイッチ回路（図示せず）を有するメンブレンシート２６が載置されている。
前記メンブレンシート２６上には、鉄板あるいは樹脂シートからなる支持板２７が載置されている。
また、メンブレンシート２６には、スイッチ回路が形成された部分に、ドーム状で内部が空洞のラバースプリング２８が接着剤等で固着され、このラバースプリング２８の弾性力により、キートップ２１が所定高さ位置に弾性付勢されている。
【０００７】
このような従来のキースイッチの操作は、水平状態で上昇した初期位置にあるキートップ２１の操作部２１ａの中央部を垂直に下方に押圧することにより、キートップ２１が水平状態で降下すると共に、ラバースプリング２８が弾性変形してメンブレンシート２６に形成したスイッチ回路が切り換わる。
また、キートップ２１の降下によって、連結支持部２３ｂ（２４ｂ）を支点として折り畳まれた第１、第２リンク部材２３、２４は、キートップ２１のスカート部２１ｂに囲まれたリンク部材収納部２１ｄに収納される。
そして、水平状態で降下したキートップ２１は、スカート部２１ｂの下端部２１ｃと支持板２７との間に、若干の隙間が形成されるようになっている。
【特許文献１】特開２００２−０５６７４０号公報
【特許文献２】特開２００２−０５６７４２号公報
【発明の開示】
【発明が解決しようとする課題】
【０００８】
しかし、従来のキースイッチは、キートップ２１を押圧操作する位置が、操作部２１ａの端部側にずれた時、あるいはキートップ２１の押圧方向が垂直方向でなく斜めになったりすると、キートップ２１が斜めになって降下する。
すると、スカート部２１ｂの下端部２１ｃのいずれか一方が支持板２７にぶつかって大きな衝突音が発生し、騒音となるおそれがあった。
本発明は、前述したよう課題を解決して、キートップを押圧操作した時に発生する衝突音を軽減可能なキースイッチを提供することを目的とする。
【課題を解決するための手段】
【０００９】
前記課題を解決するための第１の手段として本発明のキーボスイッチは、押圧操作可能な操作部の外周から下方に延設されたスカート部を有するキートップと、このキートップを昇降可能に支持するリンク部材と、このリンク部材を支持するベースプレートとを備え、前記ベースプレート上には、前記キートップを押圧操作して降下した前記スカート部の下端部が衝突するときに発生する衝突音を軽減可能な消音手段を配設したことを特徴とするキースイッチ。
また、前記課題を解決するための第２の手段として、前記ベースプレート上には、フィルムシートを配設し、前記消音手段は、前記キートップの前記スカート部の下端部が対向する部分の前記フィルムシート、または前記キートップの前記裏面に配設した緩衝部材からなることを特徴とする請求項１記載のキースイッチ。
【００１０】
また、前記課題を解決するための第３の手段として、前記緩衝部材は、材質がゴムからなることを特徴とする。
また、前記課題を解決するための第４の手段として、前記ベースプレート上には、フィルムシートを配設し、前記フィルムシート上には、絶縁シートを積層し、前記絶縁シートは、弾性を有する材質で形成して前記消音手段としたことを特徴とする。
【００１１】
また、前記課題を解決するための第５の手段として、前記絶縁シートは、材質がゴムからなることを特徴とする。
また、前記課題を解決するための第６の手段として、前記ベースプレート上には、フィルムシートが配設され、前記スカート部の下端部が対向する部分の前記フィルムシートを舌片状に切り曲げして舌片部を形成し、この舌片部の自由端側を折り返して形成したクッション部を前記消音手段としたことを特徴とする。
【発明の効果】
【００１２】
本発明のキースイッチにおいて、ベースプレート上には、キートップを押圧操作して降下したスカート部の下端部が衝突するときに発生する衝突音を軽減可能な消音手段を配設したので、押圧操作するキートップが斜めになっても、消音手段によって衝突音を軽減、または消音することができ、操作時の騒音の発生を小さくすることができる。
また、ベースプレート上には、フィルムシートを配設し、消音手段は、キートップのスカート部の下端部が対向する部分のフィルムシート、またはキートップの裏面に配設した緩衝部材からなるので、緩衝部材によって発生する衝突音を確実に軽減することができる。
【００１３】
また、緩衝部材は、材質がゴムからなるので、確実に衝突音を軽減することができる。
また、ベースプレート上には、フィルムシートを配設し、フィルムシート上には、絶縁シートを積層し、絶縁シートは、弾性を有する材質で形成して消音手段
、あた、絶縁シートは、材質がゴムからなるので、確実に衝突音を軽減することができる。
また、ベースプレート上には、フィルムシートが配設され、スカート部の下端部が対向する部分のフィルムシートを舌片状に切り曲げして舌片部を形成し、この舌片部の自由端側を折り返して形成したクッション部を消音手段としたので、クッション部のクッションによって衝突音を確実に軽減できる。
【発明を実施するための最良の形態】
【００１４】
以下、図面に基づいて本発明の実施の形態について説明する。まず、図１は本発明に関する第１の実施の形態のキースイッチの要部断面図であり、図２は図１の操作を説明する要部断面図であり、図３は本発明に関するキースイッチの第２の実施の形態の要部断面図であり、図４は図３の操作を説明する要部断面図であり、図５は本発明の第２の実施の形態の消音手段を説明する要部斜視図であり、図６は本発明の第２の実施の形態の変形例を説明する要部斜視図である。
【００１５】
まず、本発明の第１の実施の形態のキースイッチ１は、図１に示すように、最上部に樹脂材料を成形加工等により形成したキートップ２が配設されている。
前記キートップ２は、上部に操作部２ａが形成され、この操作部２ａの外周から図示下方に延設してスカート部２ｂが形成されている。
前記スカート部２ｂは、延設寸法が均一に形成されて下端部２ｃが平坦状になっている。
【００１６】
また、キートップ２は、スカート部２ｂの内周側に凹状のリンク部材収納部２ｄが形成されている。
そして、リンク部材収納部２ｄが形成された操作部２ａ裏面の略中央部からは、突起部２ｅが図示下方に突出形成されている。
また、キートップ２１の操作部２１ａ裏面の突起部２ｅの図示右側には、スライド支持部２ｆが形成され、突起部２ｅの図示左側には回動支持部２ｇが形成されている。
【００１７】
前記スライド支持部２ｆ、及び回動支持部２ｇには、一対の第１、第２リンク部材３、４の一端部側が係合可能になっている。前記第１、第２リンク部材３、４は、アーム部３ａ、４ａが交差状に組み合わせされて連結支持部３ｂ（４ｂ）で連結されている。
そして、第１リンク部材３は、図示上方の一端部側にスライド部３ｃが形成され、このスライド部３ｃが、スライド支持部２ｆにスライド自在に係合支持されている。また、第１リンク部材３は、図示下方の他端部側に回動部３ｄが形成されている。
【００１８】
また、第２リンク部材４は、図示上方の一端部側に回動部４ｃが形成され、この回動部４ｃが、回動支持部２ｇに回動自在に支持されている。
また、第２リンク部材４は、図示下方の他端部側にスライド部４ｄが形成されている。
また、本発明のキースイッチ１は、最下部にアルミニウム等の金属からなるベースプレート５が配設され、このベースプレート５には、第１リンク部材３の回動部３ｄを回動自在に支持可能な回動支持部５ａと、第２リンク部材４のスライド部４ｄをスライド自在に支持可能なスライド支持部５ｂとが、プレス加工等で切り起こし形成されている。
【００１９】
また、ベースプレート５上には、絶縁性のフィルムシート６が載置され、このフィルムシート６には、スイッチ回路が形成されている。
前記フィルムシート６は、図示を省略するが、例えば中間シートを挟んで上部シートと下部シートとの３枚のシート部材を積層したメンブレンシートからなり、上部シートには可動接点が形成され、中間シートを介して可動接点と対向する下部シートに固定接点が形成されている、
そして、可動接点と固定接点との間でスイッチ回路が形成されている。
【００２０】
また、キートップ２のスカート部２ｂの下端部２ｃと対向する部分のフィルムシート６には、消音手段である所定厚さの緩衝部材７が接着剤等によって貼付されている。前記緩衝部材７は、材質が弾性を有する例えばゴムからなり、押圧操作して降下したキートップ２の下端部２ｃが緩衝部材７に衝突しても、衝突音が軽減、あるいは消音されるようになっている。
【００２１】
また、フィルムシート６には、スイッチ回路が形成された部分に、ドーム状で内部が空洞のラバースプリング８が接着剤等で固着され、このラバースプリング８の弾性力により、図１に示すように、キートップ２が所定高さ位置の初期位置に弾性付勢されている。
そして、キートップ２を押圧してラバースプリング８が弾性変形すると、ドーム状の空洞内部の天井部に形成したスイッチ操作部（図示せず）が降下して、フィルムシート６の上部シートに形成した可動接点が下部シートに形成した固定接点に接触してスイッチ回路が切り換わるようになっている。
【００２２】
このような本発明の第１の実施の形態のキースイッチ１の操作を図１、図２に基づいて説明すると、上昇して水平状態の初期位置にあるキートップ２の操作部２ａを、押圧操作すると、キートップ２が降下すると共に、ラバースプリング８が弾性変形する。このことにより、フィルムシート６の上部シートが押圧されてスイッチ回路が切り換わる。
また、キートップ２の降下によって、連結支持部３ｂ（４ｂ）を支点として折り畳まれた第１、第２リンク部材３、４は、キートップ２のリンク部材収納部２ｄに収納される。
【００２３】
また、降下したキートップ２の図示左側のスカート部２ｂの下端部２ｃが緩衝部材７に衝突することにより、衝突音を軽減、または消音することができる。
尚、本発明の第１の実施形態の説明では、緩衝部材８を図示左側の一方側にだけ設けたもので説明したが、図示右側の他方側、あるいは、キートップ２のスカート部２ｂの下端部２ｃが対向する部分の全周に形成しても良い。
【００２４】
また、緩衝材７は、フィルムシート６側に貼付したもので説明したが、キートップ２の裏面であるスカート部２ｂの下端部２ｃに貼付しても良い。
また、第１の実施の形態の変形例として、ベースプレート５上には、フィルムシート６を介して絶縁シート（図示せず）を配設し、この絶縁シートを弾性を有するゴム等の材質で形成して、キートップ２を押圧操作して降下したときのスカート部２ｂの下端部２ｃが衝突したときに発生する衝突音を軽減、または消音するようにしたものでも良い。
【００２５】
また、本発明の第２の実施の形態のキースイッチ１１を図３、図４に基づいて説明すると、第２の実施の形態のキースイッチ１１は、第１の実施の形態で説明した緩衝部材７が無いと共に、フィルムシート１６以外の部材は第１の実施の形態のキースイッチ１と同じ構成になっているので、構成が異なるフィルムシート１６だけについて説明する。
【００２６】
前記第２の実施の形態に係わるフィルムシート１６は、第１の実施の形態で説明したような上部シート、中間シート、下部シートからなる３枚のシート部材を積層したメンブレンスイッチからなり、キートップ２のスカート部２ｂの下端部２ｃが対向する部分の上部シートをプレス加工等で、図５に示すように舌片状に切り曲げして舌片部１６ａを形成し、この舌片部１６ａの自由端側を所定の隙間を有して互いに対向する下側に折り返して第１クッション部１６ｂを形成し、この第１クッション部１６ｂを本発明に係わる消音手段としたものでも良い。  
【００２７】
このような第２の実施の形態のキースイッチ１１は、図４に示すように、キートップ２を押圧操作して、キートップ２の図示左側のスカート部２ｂの下端部２ｃが消音手段であるクッション部１６ｂに衝突しても、所定の隙間を有するクッション部１６ｂが弾性変形するので、キートップ２が降下したときに発生する衝突音を軽減、または消音される。
【００２８】
また、本発明の第２の実施の形態の変形例を図６に基づいて説明すると、フィルムシート１６は、キートップ２のスカート部２ｂの下端部２ｃが対向する部分の常備シートをプレス加工等で舌片状に切り曲げして舌片部１６ｃを形成し、この舌片部１６ｃの自由端側を、所定の隙間を有して互いに対向する上側に折り返して第２クッション部１６ｄを形成し、この第２クッション部１６ｄを本発明に係わる消音手段としたものでも良い。
前記第１、第２クッション部１６ｂ、１６ｄは、舌片部１６ａ、１６ｃの自由端側を折り返し後、所定温度で加熱することにより、スプリングバック等が平坦状に戻らないようになっている。
【図面の簡単な説明】
【００２９】
【図１】本発明に関する第１の実施の形態のキースイッチの要部断面図である。
【図２】図１の操作を説明する要部断面図である。
【図３】本発明に関するキースイッチの第２の実施の形態の要部断面図である。
【図４】図３の操作を説明する要部断面図である。
【図５】本発明の第２の実施の形態の消音手段を説明する要部斜視図である。
【図６】本発明の第２の実施の形態の変形例を説明する要部斜視図である。
【図７】従来のキースイッチの要部断面図である。
【符号の説明】
【００３０】
１  第１の実施の形態のキースイッチ
２  キートップ
２ａ  操作部
２ｂ  スカート部
２ｃ  下端部
２ｄ  リンク部収納部
３  第１リンク部材
３ａ  アーム部
３ｂ  連結支持部
３ｃ  スライド部
３ｄ  回動部
４  第２リンク部材
５  ベースプレート
６  フィルムシート
７  緩衝部材
８  ラバースプリング
１６  フィルムシート
１６ａ  舌片部
１６ｂ  第１クッション部
１６ｄ  第２クッション部
【図１】
2006190552.tif 000003
【図２】
2006190552.tif 000004
【図３】
2006190552.tif 000005
【図４】
2006190552.tif 000006
【図５】
2006190552.tif 000007
【図６】
2006190552.tif 000008
【図７】
2006190552.tif 000009